(57)【要約】      （修正有）【課題】スマートフォンやタブレットやパソコンやテレビの画面から発生する波長が短く波動エネルギーの大きいブルーライトによる視力障害や脳神経障害、及び概日リズムの乱れに起因するストレスの増加を軽減できる液晶画面保護フィルムを提供する。【解決手段】透明の液晶画面保護フィルム１１に３２〜３８テラヘルツの共鳴電磁波を照射し、フィルムに共鳴電磁波を放射する機能を転写することで、フィルム自体を、共鳴電磁波の転写放射体とし、ブルーライト障害を軽減する。【選択図】図２
0003226459.tif 000002
【実用新案登録請求の範囲】
【請求項１】
３２〜３８テラヘルツの共鳴電磁波を、２時間以上、２０℃〜９０℃の温度条件下で、スマートフォンやタブレットやパソコンやテレビの液晶画面用の保護フィルムに照射することで、当該フィルム自体を当該共鳴電磁波の転写放射体とすることを特徴とするブルーライト障害対策用液晶画面保護フィルム。
【考案の詳細な説明】
【技術分野】
【０００１】  本考案は、３２〜３８テラヘルツの共鳴電磁波を、液晶画面保護フィルムに照射し、液晶画面保護フィルム自体を、当該共鳴電磁波の転写放射体とすることを特徴とする、ブルーライト障害の緩和を目的とした液晶画面保護フィルムに関するものである。
【背景技術】
【０００２】  近年、スマートフォンやタブレットやパソコンやテレビの使用時間が急速に増加し、その液晶画面から発生するブルーライトによる視力障害やストレスが問題となっている。【０００３】  そして、ブルーライトをカットするレンズやフィルムが開発されている。
【特許文献１】特開２０１８−０６９５７３
【特許文献２】特開２０１８−０５５０７３
【特許文献３】特開２０１７−１０２２７１
【考案の概要】
【考案が解決しようとする課題】
【０００４】  近年、青色ＬＥＤの普及とともに、スマートフォンやタブレットやパソコンやテレビの液晶画面から発生するブルーライトによる視力障害や脳神経障害が問題になっている。【０００５】  また、スマートフォンやタブレットやパソコンやテレビの使用時間が増え、使用が夜間に至ることもあるため、サーカディアンリズム（概日リズム）が乱れ、睡眠不足や体調の乱れといったブルーライトに起因するストレスの増加という問題も出ている。
【課題を解決するための手段】
【０００６】  このような課題を解決するために、本考案者は、３２〜３８テラヘルツの共鳴電磁波を、２時間以上、２０℃〜９０℃の温度条件下で、透明の液晶画面保護フィルムに照射することで、当該保護フィルム自体が当該共鳴電磁波の転写放射体となり、自らが当該共鳴電磁波の発射体となり、放射される対象物の電子の動きを円滑にすることを見出し、本考案をなすに至った。【０００７】  すなわち、上記課題を解決するために本考案では、３２〜３８テラヘルツの共鳴電磁波を放射する物質と、液晶画面保護フィルムを近接させ、２０℃〜９０℃の温度条件下で、２時間以上放置し、当該共鳴電磁波の放射体から発射される電磁波を、共振作用により、当該保護フィルムに転写し、当該保護フィルム自体を当該共鳴電磁波の放射体とする。【０００８】  液晶画面保護フィルム自体を共鳴電磁波の放射体とすることで、当該フィルムから放射される３２〜３８テラヘルツの共鳴電磁波で、液晶画面の発生するブルーライトの電子や光子の動きを円滑にすることができ、ブルーライトの電磁波に乗っているノイズを軽減することができ、ブルーライト障害を緩和することができる。【０００９】  また当該フィルムから放射される共鳴電磁波の還元作用により、ブルーライトに起因するストレスを緩和することができる。
【考案の効果】
【００１０】  本考案によれば、効果が明確で、効果の持続性の高い３２〜３８テラヘルツの共鳴電磁波を放射するブルーライト障害対策用液晶画面保護フィルムを低コストで、大量に提供できる。【００１１】  ブルーライト障害対策用液晶画面保護フィルムから放射される共鳴電磁波の還元作用により、液晶画面から放出されるブルーライトによる網膜の酸化劣化が還元され、視力障害が緩和される。【００１２】  また、ブルーライト障害対策用液晶画面保護フィルムから放射される３２〜３８テラヘルツの共鳴電磁波で、ブルーライトの電子や光子の動きを円滑にすることができるため、ブルーライト電磁波に乗っているノイズを軽減することでブルーライトストレスを緩和することができる。
【考案を実施するための形態】
【００１３】  以下、本考案の実施形態について図面を参照しながら詳細に説明する。
図１は、本考案のブルーライト障害対策用液晶画面保護フィルムの製造方法の側面図を示す。
図２は、本考案のブルーライト障害対策用液晶画面保護フィルムの作用概念を示す。
【００１４】  図１に示すように、共鳴電磁波放射シート１の上に、液晶画面保護フィルム２を密着させて置き当該シート１から放射される３２〜３８テラヘルツの共鳴電磁波４を、当該液晶画面保護フィルム２に２時間以上照射する。
【００１５】  当該共鳴電磁波放射シート１の下には２０℃〜９０℃の温度調節が可能なヒーター３が設けられていて、３２〜３８テラヘルツの共鳴電磁波４を当該液晶画面保護フィルム２に効率良く照射できる。
【００１６】  図２に示すように、スマートフォン１０に貼り付ける液晶画面保護フィルム２に、３２〜３８テラヘルツの共鳴電磁波を、２０℃〜９０℃の温度条件下で、２時間以上照射したブルーライト障害対策用液晶画面保護フィルム１１を、スマートフォンやタブレットやパソコンやテレビの液晶画面１２の表面に装着すると、当該フィルム１１から、３２〜３８テラヘルツの転写共鳴電磁波１３が放射される。
【００１７】  図２のように、当該フィルム１１から放射された転写共鳴電磁波１３は、青色ＬＥＤ１４に照射され、青色ＬＥＤ１４の発射する電磁波に還元効果を付加する。
【００１８】  還元効果を付加された青色ＬＥＤ１４から発射されるブルーライト１５は目１６に到達すると視神経を癒し、ブルーライトストレスを緩和する。
【実施例】
【００１９】  いろいろなテストを通して、本考案のブルーライト障害対策用液晶画面保護フィルムについて、下記の効果が確認されている。
＊パソコン画面に本考案のブルーライト障害対策用液晶画面保護フィルムを貼り付ける  ことにより、夜１時間以上パソコンを使用しても、ＤＮＡの酸化劣化の指標であるテロ  メア値の変化が見られず、十分安眠できた。
＊スマートフォンの液晶画面に、本考案のブルーライト障害対策用液晶画面保護フィル  ムに貼り付けると、１日中スマートフォンを使用しても目の疲労感はなかった。
【産業上の利用可能な分野】
【００２０】  本考案のブルーライト障害対策用液晶画面保護フィルムは、スマートフォンやタブレットやパソコンやテレビの液晶画面から発生するブルーライト障害対策用としてばかりでなく、青色ＬＥＤをベースにした照明装置にも利用できる。
【図面の簡単な説明】
【００２１】
【図１】は、本考案のブルーライト障害対策用液晶画面保護フィルムの製造方法の側面図を示す。
【図２】は、本考案のブルーライト障害対策用液晶画面保護フィルムの作用概念の断面図を示す。
【符号の説明】
【００２２】  １    共鳴電磁波放射シート
２    液晶画面保護フィルム
３    ヒーター
４    共鳴電磁波
１０  スマートフォン
１１  ブルーライト障害対策用液晶画面保護フィルム
１２  液晶画面
１３  転写共鳴電磁波
１４  青色ＬＥＤ
１５  ブルーライト
１６  目
【図１】
0003226459.tif 000003
【図２】
0003226459.tif 000004